(57)【要約】      （修正有）【課題】ユーザが広告情報を選択したときに、その広告情報の内容に関連した参照サイトのアドレスリンクを自動的に表示することにより、関連情報を容易に取得できるようにする。【解決手段】各種のホームページのアドレス情報と、そのホームページから抽出されたキーワードとを対応させたレコードを蓄積した参照サイトデータベース１６を有しており、専用ホームページＨＰの選択画面で広告主サイト２♯１，２♯２の選択操作を受け付けたときには、その参照サイトデータベース１６から、選択操作された広告主２♯１，２♯２の広告情報から自動的に抽出されたキーワードを含んだレコードを検索して、そのレコードから読み出したアドレス情報をアドレスリンクとしてリンク画面に表示させる。【選択図】図１
2009087106.tif 000002
【特許請求の範囲】
【請求項１】
ユーザの専用ホームページ上に複数の広告主が配信した広告情報を選択して表示させる機能を有したインターネット情報提供サービスシステムであって、
ユーザが広告情報の配信を許可した広告主のリストである広告主リストをユーザ毎に登録したユーザ登録手段と、
前記広告主から、表示すべきテキストを含んだ広告情報を受信し、受信した広告情報を登録する広告情報記憶手段と、
前記広告情報から所定の基準に従ってキーワードを抽出するキーワード抽出手段と、
アクセスしてきたユーザを認識し、認識したユーザに対して、前記広告主リストを表示して広告主の選択を受け付けるための選択画面と、選択された広告主の広告情報を前記広告情報記憶手段から読み出して切り換え表示するための詳細画面と、前記広告情報の内容に関連した各種ホームページのアドレスリンクを表示するためのリンク画面とを設けた専用ホームページを生成するホームページ生成手段と、
前記専用ホームページを表示させるウェブサーバと、
インターネットから収集された各種ホームページの情報を蓄積した参照サイトデータベースと、
前記専用ホームページの選択画面で広告主が選択されたときには、選択された広告主の広告情報から前記キーワード抽出手段によってキーワードを抽出し、抽出したキーワードを含んだホームページを前記参照サイトデータベースから検索し、検索されたホームページを表示するためのアドレスリンクを前記リンク画面に表示させる自動検索手段とを備えたインターネット情報提供サービスシステム。
【請求項２】
請求項１において、
前記広告情報は、前記キーワード抽出手段が抽出するキーワードを予め指定した情報を更に含むことを特徴としたインターネット情報提供サービスシステム。
【請求項３】
請求項１または２において、
前記広告情報は、禁止キーワードを予め指定した情報を更に含み、
前記キーワード抽出手段は、前記広告情報から前記禁止キーワードを抽出し、
前記自動検索手段は、前記参照サイトデータベースから、前記キーワードが登録され、かつ前記禁止キーワードが登録されていないホームページを検索して、そのホームページのアドレスリンクを前記リンク画面に表示させることを特徴としたインターネット情報提供サービスシステム。
【請求項４】
請求項１〜３のいずれかにおいて、
前記広告情報記憶手段は、前記広告情報から前記キーワード抽出手段によって抽出したキーワードを登録し、
前記自動検索手段は、前記選択画面で選択された広告主の広告情報から抽出されたキーワードを含んだ、選択した広告主以外の広告情報を、前記広告情報記憶手段から検索して、前記選択した広告主以外の広告情報を直接表示するためのアドレスリンクを、前記各種ホームページのアドレスリンクに加えて、前記リンク画面に更に表示させることを特徴としたインターネット情報提供サービスシステム。
【請求項５】
請求項１〜４のいずれかにおいて、
前記ユーザ登録手段は、前記広告主から、前記広告情報の配信を許可したユーザのリストを受信し、
前記ユーザのリストは、ユーザ毎に、個人情報から共通の規則に従って生成された識別情報を記録しており、
前記ユーザ登録手段は、前記識別情報に基づいて、複数の広告主から受信したユーザリストに重複して記載されたユーザの同一性を判断することで、ユーザ毎に、前記広告主リストを生成することを特徴としたインターネット情報提供サービスシステム。
【請求項６】
請求項５において、
前記ユーザリストは、ユーザ毎に、ユーザ属性情報を更に記録しており、
前記ユーザ登録手段は、ユーザ毎に、前記ユーザ属性情報を更に登録し、
前記広告情報は、配信対象とされるユーザのユーザ属性情報を指定しており、
前記自動検索手段は、ユーザ毎に、前記ユーザ登録手段に登録されているユーザ属性情報と、前記広告情報が指定しているユーザ属性情報とを比較して、前記詳細画面に表示すべき広告情報を選択することを特徴としたインターネット情報提供サービスシステム。
【請求項７】
請求項５において、
前記ユーザ登録手段は、前記広告主毎に、分野情報を予め登録しており、
前記広告主リストを生成する際に、ユーザ毎に、前記広告主リストに含まれた広告主の分野情報を集約して、ユーザの興味分野として登録し、
前記広告情報登録手段は、対象とされるユーザの興味分野を指定した広告情報を更に受信して登録し、
上記インターネット情報提供サービスシステムは、
前記広告情報データベースを参照して、ユーザ毎に、前記ユーザ登録手段に登録されているユーザの興味分野を、配布の対象とされるユーザの興味分野として指定している広告情報を選択し、選択した広告情報を表示するためのアドレスリンクを、前記リンク画面に更に表示させる広告情報選択手段を更に備えていることを特徴としたインターネット情報提供サービスシステム。
【請求項８】
請求項１〜７において、
前記ホームページ生成手段は、広告主を識別し、前記広告情報を作成するための広告情報編集画面を更に生成し、
前記ウェブサーバは、前記広告情報編集画面を更に表示し、
前記広告情報記憶手段は、前記広告情報編集画面によって生成された広告情報を受け付けることを特徴としたインターネット情報提供サービスシステム。
【発明の詳細な説明】
【技術分野】
【０００１】
本発明は、ユーザが閲覧するホームページ上に広告主が配信した広告情報を選択して表示する機能を備えたインターネット情報提供サービスシステムの改良に関する。
【背景技術】
【０００２】
インターネットにおいてユーザに広告情報を配信するための方法として、閲覧頻度が高いホームページ上に予め選択した広告情報を表示させてユーザの目にとまるようにすることが広く行われている。この場合、ホームページのテーマに沿った広告情報であれば、ホームページを見ている人の興味を引く可能が高くなる。例えば、ホームページが自動車をテーマとしていれば、自動車に関する広告情報の方が、他のものに関する広告情報よりもユーザの興味を引くことが予想される。
【０００３】
また、検索ポータルサイトでは、検索のために入力されたキーワードに関連した広告情報を表示するようにしている場合がある。これは、ユーザの興味対象であるキーワードに基づいて広告情報を選択することにより、ユーザの興味を引く広告情報のみを表示させようというものである。
【０００４】
ホームページによる広告配信の方法以外に、電子メールにより個々のユーザに広告情報を直接配信する方法もある。例えば、会員制の企業が、セールの案内等の広告情報を電子メールによって会員に配信する等がこれに当たる。
【０００５】
なお、次の特許文献１には、商用サイトと、商用サイトにリンクされたアフィリエイトサイトと、アフィリエイトサイトへの広告情報の配信および広告掲載料の支払管理を行う広告配信管理サイトとで構成されたネットワーク広告配信管理システムにおいて、広告掲載ページの内容を解析しキーワードを抽出する手段と、抽出したキーワードを自動的に商用サイトに通知する手段を備え、商用サイトが通知したキーワードに合致した商品、サービス等のコンテンツ広告情報を表示することにより、掲載広告のクリック率や成約率を高めることが記載されている。
【特許文献１】特願２００４−０５２９０５公報
【発明の開示】
【発明が解決しようとする課題】
【０００６】
しかしながら、上記のような広告情報の配信方法では、ユーザは基本的に広告情報を配信した広告主が提供する情報のみを取得するだけで、ユーザがその広告情報の一部に興味を持ったとしても、その興味に関連した付加的な情報を広告情報から取得することはできない。例えば、ビデオレンタル店が新作ビデオの広告情報を配信する例では、その広告情報にビデオの出演者の氏名が記載されていたとしても、広告情報から、その出演者が他のどんな作品に出演していたか等の関連情報を知ることはできない。この場合、ユーザが自ら検索ポータルサイト等でキーワードを入力してその関連情報を調査することもあり得るが、ユーザにとっては手間が掛かることになる。なお、広告情報には広告主が運営するホームページへのアドレスリンクを含めることが可能なので、そのリンク先のホームページに詳細な情報を予め準備しておけば、このような問題は発生しないとも考えられるが、そのような詳細なホームページを準備するのは広告主にとって大きな負担となる。
【０００７】
本発明は、そのような問題の解決することを目的に、ユーザが広告情報を選択したときに、その広告情報の内容に関連した参照サイトのアドレスリンクを自動的に表示することにより、関連情報を容易に取得できるインターネット情報提供サービスシステムを提案するものである。
【課題を解決するための手段】
【０００８】
請求項１に記載のインターネット情報提供サービスシステムは、ユーザの専用ホームページ上に複数の広告主が配信した広告情報を選択して表示させる機能を有したインターネット情報提供サービスシステムであって、ユーザが広告情報の配信を許可した広告主のリストである広告主リストをユーザ毎に登録したユーザ登録手段と、前記広告主から、表示すべきテキストを含んだ広告情報を受信し、受信した広告情報を登録する広告情報記憶手段と、前記広告情報から所定の基準に従ってキーワードを抽出するキーワード抽出手段と、アクセスしてきたユーザを認識し、認識したユーザに対して、前記広告主リストを表示して広告主の選択を受け付けるための選択画面と、選択された広告主の広告情報を前記広告情報記憶手段から読み出して切り換え表示するための詳細画面と、前記広告情報の内容に関連した各種ホームページのアドレスリンクを表示するためのリンク画面とを設けた専用ホームページを生成するホームページ生成手段と、前記専用ホームページを表示させるウェブサーバと、インターネットから収集された各種ホームページの情報を蓄積した参照サイトデータベースと、前記専用ホームページの選択画面で広告主が選択されたときには、選択された広告主の広告情報から前記キーワード抽出手段によってキーワードを抽出し、抽出したキーワードを含んだホームページを前記参照サイトデータベースから検索し、検索されたホームページを表示するためのアドレスリンクを前記リンク画面に表示させる自動検索手段とを備えている。
【０００９】
請求項２に記載のインターネット情報提供サービスシステムは、請求項１において、前記広告情報は、前記キーワード抽出手段が抽出するキーワードを予め指定した情報を更に含むことを特徴としている。
【００１０】
請求項３に記載のインターネット情報提供サービスシステムは、請求項１または２において、
前記広告情報は、禁止キーワードを予め指定した情報を更に含み、前記キーワード抽出手段は、前記広告情報から前記禁止キーワードを抽出し、前記自動検索手段は、前記参照サイトデータベースから、前記キーワードが登録され、かつ前記禁止キーワードが登録されていないホームページを検索して、そのホームページのアドレスリンクを前記リンク画面に表示させることを特徴としている。
【００１１】
請求項４に記載のインターネット情報提供サービスシステムは、請求項１〜３のいずれかにおいて、前記広告情報記憶手段は、前記広告情報から前記キーワード抽出手段によって抽出したキーワードを前記広告情報データベースに登録し、前記自動検索手段は、前記選択画面で選択された広告主の広告情報から抽出されたキーワードを含んだ他の広告主の広告情報を、前記広告情報記憶手段から検索し、検索した他の広告主の広告情報を表示するためのアドレスリンクを、前記各種ホームページのアドレスリンクと共に、前記リンク画面に更に表示させることを特徴としている。
【００１２】
請求項５に記載のインターネット情報提供サービスシステムは、請求項１〜４のいずれかにおいて、前記ユーザ登録手段は、前記広告主から、前記広告情報の配信を許可したユーザのリストを受信し、前記ユーザのリストは、ユーザ毎に、個人情報から共通の規則に従って生成された識別情報を記録しており、前記ユーザ登録手段は、前記識別情報に基づいて、複数の広告主から受信したユーザリストに重複して記載されたユーザの同一性を判断することで、ユーザ毎に、前記広告主リストを生成することを特徴としている。
【００１３】
請求項６に記載のインターネット情報提供サービスシステムは、請求項５において、前記ユーザリストは、ユーザ毎に、ユーザ属性情報を更に記録しており、前記ユーザ登録手段は、ユーザ毎に、前記ユーザ属性情報を更に登録し、前記広告情報は、配信対象とされるユーザのユーザ属性情報を指定しており、前記自動検索手段は、ユーザ毎に、前記ユーザ登録手段に登録されているユーザ属性情報と、前記広告情報が指定しているユーザ属性情報とを比較して、前記詳細画面に表示すべき広告情報を選択することを特徴としている。
【００１４】
請求項７に記載のインターネット情報提供サービスシステムは、請求項５において、前記ユーザ登録手段は、前記広告主毎に、分野情報を予め登録しており、前記広告主リストを生成する際に、ユーザ毎に、前記広告主リストに含まれた広告主の分野情報を集約して、ユーザの興味分野として登録し、前記広告情報登録手段は、対象とされるユーザの興味分野を指定した広告情報を更に受信して登録し、上記インターネット情報提供サービスシステムは、前記広告情報データベースを参照して、ユーザ毎に、前記ユーザ登録手段に登録されているユーザの興味分野を、配布の対象とされるユーザの興味分野として指定している広告情報を選択し、選択した広告情報を表示するためのアドレスリンクを、前記リンク画面に更に表示させる広告情報選択手段を更に備えていることを特徴としている。
【００１５】
請求項８に記載のインターネット情報提供サービスシステムは、請求項１〜７において、前記ホームページ生成手段は、広告主を識別し、前記広告情報を作成するための広告情報編集画面を更に生成し、前記ウェブサーバは、前記広告情報編集画面を更に表示し、前記広告情報記憶手段は、前記広告情報編集画面によって生成された広告情報を受け付けることを特徴としている。
【発明の効果】
【００１６】
本発明は、各種のホームページのアドレス情報と、そのホームページから抽出されたキーワードとを対応させたレコードを蓄積した参照サイトデータベースを有しており、専用ホームページの選択画面で広告主の選択操作を受け付けたときには、その参照サイトデータベースから、選択操作された広告主の広告情報から自動的に抽出されたキーワードを含んだレコードを検索して、そのレコードから読み出したアドレス情報をアドレスリンクとして前記リンク画面に表示させる新規な機能を備えている。従って、ユーザは、表示されたアドレスリンクを選択するだけで広告情報の内容に関連した参照サイトのホームページを閲覧でき、検索ポータルサイトで自ら関連情報を調査する必要がなくなる。
また、広告主は、従来広告情報を電子メールによって配信するため、電子メールアドレス等の個人情報を用意しておく必要があったが、本発明によれば、インターネット情報提供サービスシステムに広告情報を送信するだけでよいので、そのような個人情報を管理する必要がない。
【００１７】
特に請求項２によれば、広告情報にキーワードを予め指定した情報を含ませることができるので、広告主は、ユーザが必要とすると予測した情報を、参照サイトを通じて確実に提供することができる。
【００１８】
特に請求項３によれば、広告情報に禁止キーワードを予め指定した情報を更に含ませることにより、その禁止キーワードを含んだホームページが参照サイトとなることを防止できるため、広告主は、競合企業名等を禁止キーワードに指定すれば、その競合企業のホームページが参照サイトとして扱われることを確実に防止できる。
【００１９】
特に請求項４によれば、参照サイトのアドレスリンクと共に、関連した他の広告情報を表示するためのアドレスリンクを表示するので、広告情報がユーザの目にとまる可能性が高くなる。
【００２０】
特に請求項５によれば、ユーザ登録手段は、広告主の各々からユーザのリストを受信して登録するので、ユーザ登録を自動化でき、インターネット情報提供サービスシステムの運営者の手間が省かれる。
【００２１】
特に請求項６によれば、広告情報の配信対象とされるユーザのユーザ属性情報を指定できるので、大きな広告効果が期待できる共に、広告効果が期待できないユーザに広告情報を配信して不愉快な思いをさせる虞がなくなる。
【００２２】
特に請求項７によれば、ユーザ毎に、広告情報の配信を許可した広告主の分野情報を集約してユーザの興味分野として登録しておき、その興味分野を配布対象として指定している広告情報を表示するためのアドレスリンクをリンク画面に更に表示するので、ユーザの興味分野で絞り込んだ広告情報の表示が可能になる。また、同様に、年齢、性別等のユーザ属性情報で絞り込んだ広告情報の表示も可能である。
【００２３】
特に請求項８によれば、広告主は、広告情報作成画面を利用することにより、広告情報を手軽に作成できる。
【発明を実施するための最良の形態】
【００２４】
以下、本発明の実施例を図に従って説明する。
【００２５】
図１は、本発明に係るインターネット情報提供サービスシステムの概略構成を説明する機能ブロック図である。インターネット情報提供サービスシステム１が接続しているインターネットＮには、広告主２の端末、ユーザ３の端末、および各種ホームページを運営している任意の参照サイト４等が接続されている。
【００２６】
インターネット情報提供システム１は、ユーザの専用ホームページＨＰ上に複数の広告主２が配信した広告情報Ａを選択して表示させる機能を有したインターネット情報提供サービスシステムであって、ユーザ３が広告情報Ａの配信を許可した広告主２のリストである広告主リストをユーザ３毎に登録したユーザ登録手段１１と、広告主２から、表示すべきテキストを含んだ広告情報Ａを受信し、受信した広告情報Ａを広告情報データベース１２ａに登録する広告情報記憶手段１２と、広告情報Ａから所定の基準に従ってキーワードを抽出するキーワード抽出手段１３と、アクセスしてきたユーザ３を認識し、認識したユーザ３に対して、前記広告主リストを表示して選択を受け付けるための選択画面Ｇ１と、選択された広告主２の広告情報Ａを広告情報データベース１２ａから読み出して切り換え表示するための詳細画面Ｇ２と、広告情報Ａの内容に関連した参照サイト４のホームページのアドレスリンクを表示するためのリンク画面Ｇ３とで構成された専用ホームページＨＰを生成するホームページ生成手段１４と、ユーザ３が操作する端末に、専用ホームページＨＰを表示させるウェブサーバ（デーモンプログラム）１５と、インターネットＮから収集された各種ホームページの情報を蓄積した参照サイトデータベース１６と、専用ホームページＨＰの選択画面Ｇ３で広告主が選択されたときには、選択された広告主の広告情報Ａから、キーワード抽出手段１３によってキーワードを抽出し、抽出したキーワードを含んだホームページを参照サイトデータベース１６から検索し、検索されたホームページを表示するためのアドレスリンクをリンク画面Ｇ３に表示させる自動検索手段１７とを備えている。
そして更に、広告情報データベース１２ａを参照して、ユーザ３毎に、ユーザ登録手段１１に登録されているユーザの興味分野を、配布の対象とされるユーザの興味分野として指定している広告情報Ａを選択し、選択した広告情報Ａを表示するためのアドレスリンクを、リンク画面Ｇ３に更に表示させる広告情報選択手段１８を備えてもよい。
ユーザ登録手段１１は、ユーザ情報データベース１１ａを有しており、そのユーザ情報データベース１１ａに、ユーザ毎の広告主リスト、ユーザ属性情報、興味分野等を登録する。
【００２７】
なお、インターネット情報提供サービスシステム１は、具体的には単独または複数の公知構成のネットワークサーバからなり、上記の各手段は、ネットワークサーバが実行するプログラムによるソフトウェア的手段として実現される。また、上記各データベースは、例えばデータベースを制御するプログラムと、ネットワークサーバに付属したハードディスクシステムによって実現される。
【００２８】
ホームページ生成手段１４、ユーザ登録手段１１、広告情報記憶手段１２は、例えば、ウェブサーバ１５によって起動されるＣＧＩプログラムによって構成してもよい。ＣＧＩプログラムは、Ｐｅｒｌで記述されることが多いが、それに限定されず、Ｃ言語、Ｃ＋＋言語、ＶｉｓｕａｌＢａｓｉｃ等のプログラム言語で記述してもよい。ウェブサーバ１５は、ユーザ端末３から受け取ったＵＲＬを見て、ホームページ生成手段１４、ユーザ登録手段１１、広告情報記憶手段１２を構成するＣＧＩプログラムが指定されていれば、対応したＣＧＩプログラムを起動する。キーワード抽出手段１３、自動検索手段１７は、ホームページ生成手段１４によって起動される。なお、ホームページ生成手段１４、ユーザ登録手段１１、広告情報記憶手段１２は、ＣＧＩプログラム以外のプログラムによって構成してもよい。
【００２９】
図２は、上記専用ホームページＨＰの一例で、画面全体が選択画面Ｇ１と、詳細画面Ｇ２と、リンク画面Ｇ３と、タイトル画面Ｇ４と、追加情報画面Ｇ５とに区分されたものである。タイトル画面Ｇ４には、マウス等のクリックによって操作される複数の機能選択ボタンＦが配置されている。特にボタンＦ＃１は、図２の例で示している選択画面Ｇ１と、詳細画面Ｇ２と、リンク画面Ｇ３からなる画面を表示し、更に広告情報Ａ等を提供する機能を選択するためのものになっている。
ボタンＦ＃２〜Ｆ＃５が操作されると、選択画面Ｇ１、詳細画面Ｇ２、リンク画面Ｇ３と、タイトル画面Ｇ４の領域が、操作されたボタンＦに対応した機能を実行するための画面に切り換えられる。
ここに、選択画面Ｇ１は、ユーザ３が広告情報Ａの配信を許可した広告主リストを縦方向に配列表示するための画面である。詳細画面Ｇ２は、広告主リストに対するマウス等の操作によって選択された広告主の広告情報Ａを拡大表示するための画面である。リンク画面Ｇ３は、広告情報Ａの内容に関連した各種ホームページのタイトル等をアドレスリンクとして表示するための画面である。このアドレスリンクの表示態様は、ホームページのタイトルに限定されるわけではなく、ホームページのアドレス（ＵＲＬ）をそのまま表示してもよい。
なお、機能選択ボタンＦによって設定画面等を呼び出せるようにし、その設定画面上で、選択画面Ｇ１に配列表示される広告主リストの広告主の各々に対して表示、非表示を設定できるようにしてもよい。
【００３０】
また、設定画面上で、広告主リストに所望の広告主を追加できるようにしてもよい。この場合、追加した広告主の広告情報Ａを、インターネット情報サービスシステム１で受け取ることに対するユーザの認証を広告主のサイトのホームページ上で行えるようにするのが望ましい。すなわち、広告主のサイトに広告情報受け取り確認画面を設けておき、その確認画面で広告情報受け取り認証を行えるようにする。あるいは、広告情報受け取り認証を文書で行ってもよい。
【００３１】
図３は、広告主２が広告情報Ａを作成編集するための広告情報編集画面Ｈの例である。この広告情報編集画面Ｈには、広告情報Ａを配信する期間を設定する配信開始日時入力欄ｈ１と、配信終了日時入力欄ｈ２と、広告タイトル入力欄ｈ３と、広告情報Ａを配信すべき対象ユーザの属性を設定する対象グループ入力欄ｈ４と、参照サイト４を自動検索させるためのキーワードを設定するキーワード入力欄ｈ５と、その自動検索から除外させるための禁止キーワードを設定する禁止キーワード入力欄ｈ６と、編集した広告情報Ａを確認するためのプレビュー欄ｈ７と、広告情報Ａの表示イメージを編集するツール類を呼び出すためのツール呼出ボタンｂ１と、作成した広告情報Ａをインターネット情報提供サービスシステム１に送信するための送信ボタンｂ２と、編集中の広告情報Ａを保存するための保存ボタンｂ３と、編集中の広告情報Ａを廃棄して広告情報編集画面Ｈを閉じるためのキャンセルボタンｂ４とが設けられている。ここに広告情報Ａは、一般のホームページと同様に各種画像と表示すべきテキストを含んだＨＴＭＬとで構成されるようにしてもよく、この場合には、ツール呼出ボタンｂ１によって呼び出されるツールは、市販のホームページ編集ソフトで利用されているようなツールとすればよい。
【００３２】
ここで作成された広告情報Ａは、広告主の識別情報と、配信期間（配信開始日時、配信終了日時）を指定する情報と、広告タイトルを指定する情報と、配信対象とされるユーザのユーザ属性情報と、キーワードを予め指定した情報と、禁止キーワードを予め指定した情報と、表示すべきテキストや画像で構成された詳細広告情報とを含んだものになる。
【００３３】
このような広告情報編集画面Ｈは、ホームページ生成手段１４がアクセスしてきた広告主を識別して生成する構成としてもよく、ウェブサーバ１５に、広告情報編集画面Ｈを表示する告情報編集用プログラムをダウンロード可能に準備しておき、広告主端末（サイト）２においてそのプログラムを実行することで、表示されるようにしてもよい。
【００３４】
インターネット情報提供サービスシステム１は、広告主２からユーザリストＬを受け付ける構成としてもよい。ユーザリストＬは、例えば、その広告主２が運営しているサービスの会員リストから作成してもよい。会員リストをユーザリストＬに自動的に変換するプログラムは、インターネット情報提供サービスシステム１が配布することが望ましい。なお、この例では、ユーザリストＬに記載されるユーザ３は、広告主２が配布する広告情報Ａの配信を承諾しているものとする。ユーザ登録手段１１は、ユーザリストＬを受信する受信機能を備えている。
【００３５】
図４は、広告主２＃０１、２＃０２から送信されてきたユーザリストＬ＃０１、Ｌ＃０２の内容が、ユーザ登録手段１１によって集約されてユーザ情報データベース１１ａに登録される様子を説明する図面である。
ユーザリストＬには、ユーザ３の氏名と、識別情報と、登録コードと、ユーザ属性情報がユーザ毎に記録されている。ここに、識別情報は、個人情報から共通の規則に従って生成されるもので、具体的には、郵便番号、生年月日、性別等の個人情報に基づいて決まる値とすればよい。この規則は、全ての広告主に対して共通に用いられる。例えば、ユーザリストＬ＃０１と、ユーザＬ＃０２の両者に、Ａという氏名のユーザが記載されており、このユーザのユーザリストＬ＃０１における識別情報は「１１１−１１１−１１１−０１」、ユーザリストＬ＃０２における識別情報は「１１１−１１１−１１１−０２」である。下二桁の値は、広告主に割り当てられたコードであって、識別情報は、このように広告主を示すコードを含んでもよい。
【００３６】
ユーザ登録手段１１は、氏名と、識別情報とに基づいて、ユーザリストＬ＃０１に記載されている氏名Ａのユーザ３と、ユーザリストＬ＃０２に記載されている氏名Ａのユーザ３との同一性を判断し、複数のユーザリストＬに重複して記載されたユーザを検出することで、複数のユーザリストＬの内容を統合して、各ユーザ３をユーザ情報データベース１１ａに登録する。
【００３７】
ここで、登録コードは、広告主２が独自にコードを割り当てることができる。例えば、例えば、広告サイト２におけるそのユーザの会員登録番号をそのまま用いてもよい。
【００３８】
ユーザ属性情報は、ユーザの性別、年齢、在住地域等の情報を含むことが望ましい。例えば、２０台、３０台、…の男女というようにグループ分けして、それぞれ、Ｍ１、Ｍ２、Ｍ３やＷ１、Ｗ２、Ｗ３、…とコード化してもよいし、男女の区別なく、１０台、２０台、３０台というようにグループ分けして、それぞれ、Ｇ１、Ｇ２、Ｇ３、…とコード化して処理してもよい。また、全国の各県を予めコード化しており、そのユーザの在住地域をそのコードによって示してもよい。また、上記識別情報から、郵便番号、生年月日、性別等を取得できるので、これらも、ユーザ属性情報として、ユーザ情報データベースに登録する。なお、ユーザ属性情報は、広告主２が独自にカスタマイズしたコードを割り当ててもよい。その場合でも、広告主２の各々が配信対象とするユーザのグループを指定するために、そのユーザ属性情報を利用することができる。
【００３９】
図４のユーザ情報データベース１１ａは、ユーザ毎にレコード（各行に相当する）が割り当てられ、そのレコードは、ユーザの氏名と、ユーザの通し番号となるＩＤと、広告主２の各々が付加した登録コード、ユーザ属性とが含まれている。この例では、レコードの各々に、広告主２に対応させた登録コード欄が設けられており、登録コード欄全体で、ユーザが広告情報Ａの配信を許可した広告主２を示すリストが構成されている。すなわち、登録コードが対応した登録コード欄に登録されていれば、ユーザがその広告主２が配信した広告情報Ａの受信を許可していることになる一方、登録されていなければ（図では登録なしを横線で示している）、その広告主２が配信した広告情報Ａの受信を許可していないことになる。なお、各レコードには、登録コード欄とは別に、広告情報Ａの配信を許可した広告主２のリストを設けても構わない。また、ユーザ情報データベース１１ａのレコードには、広告主２に対応させたユーザ属性欄が、登録コード欄と同様な形式で設けられている。
【００４０】
また、ユーザ登録手段１１は、広告主２毎に、例えば自動車、書籍、等の分野情報を予め登録しており、広告主リストを生成する際に、ユーザ毎に、その広告主リストに含まれた広告主２に割り当てられた分野情報を集約して、ユーザの興味分野としてユーザ情報データベース１１ａに登録してもよい。これは、ユーザ３は、一般に、関心のある分野の広告主２に対して広告情報Ａの配信を許可しているはずなので、広告情報Ａの配信を許可した広告主２の分野情報を集めれば、ユーザの嗜好を把握できるという考察に基づいている。
【００４１】
図５は、広告情報データベース１２ａの一部を構成するレコードの例で、広告主２毎に生成され、広告主２と、広告情報Ａのアドレスとを対応させた構成になっている。広告情報Ａそのものは、別形式のレコードとして、広告情報データベース１２ａに設けられた広告情報格納ディレクトリに保存され、広告情報Ａのアドレスは、そのディレクトリに格納された広告情報Ａを参照するようになっている。
【００４２】
広告情報記憶手段１２は、広告主２から広告情報Ａを受信すると、その広告情報Ａを格納するディレクトリを生成し、その広告主２のレコードに、その広告情報Ａを参照するアドレスを追加するよう。このような形式の広告情報データベース１２ａを採用することで、ウェブサーバ１５は、選択された広告情報Ａを容易に読み出すことができる。なお、広告情報Ａを受け付けたときに、キーワード抽出手段１３によってキーワードを抽出してしまい、抽出したキーワードと広告情報Ａとを対応させたレコードを生成して広告情報データベース１２ａに登録しておく構成としてもよい。
【００４３】
なお、広告情報Ａは、基本的には、ユーザリストＬを提出した広告主２から受け付けるが、ユーザリストＬを提出せず、広告情報Ａの配信のみを希望する広告主２からも受け付けるようにしてもよい。広告情報Ａの配信のみを希望する広告主２は、広告情報Ａの配布対象として、ユーザ属性情報、興味分野を指定することができる。
【００４４】
図６は、参照サイトデータベース１６を構成するレコードの例で、インターネットから収集された各種参照サイトのホームページのアドレス情報と、そのホームページから抽出されたキーワードとを対応させた構成になっている。このレコードには、更に、そのホームページのタイトルやホームページ内容の一部等を格納するための欄を設けてもよい。また、この参照サイトデータベース１６は、予め準備したデータベースを用いてもよいが、指定したホームページからリンクを次々と辿って、その途中の各ホームページのタイトルやテキスト部分からキーワードを抽出し、ホームページのアドレス情報と共に記憶する機能を有したロボットによってレコードを自動的に生成して追加していくようにしてもよい。また、インターネットＮを通じて、検索サービスを提供する外部データベースを参照するようにしてもよい。
【００４５】
次いで、インターネット情報提供サービスシステム１の基本動作を説明する。
図６は、上記基本動作を説明するフローチャート（ステップ１０１〜１０９）である。
【００４６】
ウェブサーバ１５は、まず、ユーザが接続してくると、ログイン画面を表示して登録情報の入力を要求する。ここでユーザが入力する登録情報としては、上記ユーザ情報データベース１１ａのレコードに登録されているそのユーザのＩＤや広告主２がそのユーザに付与した登録コード等を用いることができる。複数の広告主２から登録コードが付与されているユーザは、その登録コードのいずれを用いてもよい。また、ユーザがログインしたときにユーザによってパスワードを設定させ、次回のログインの際には、ログイン画面でパスワードの入力を更に要求するようにしてもよい。
ユーザのログインが成功すれば、ウェブサーバ１５は、ホームページ生成手段１４を起動して、そのユーザ用の専用ホームページＨＰを生成させる。この専用ホームページＨＰの選択画面Ｇ１には、そのユーザ３が広告情報の配信を許可した広告主のリストである広告主リストが組み込まれている。このとき、広告主リストに含まれた広告主２について、広告情報データベース１２ａを参照し、その時点で配信期間となっている広告情報Ａがあれば、その広告情報Ａから広告タイトルを読み出して、選択画面Ｇ１におけるその広告主３の表示部分に含ませて表示するようにしてもよい（ステップ１０１、１０２）。
【００４７】
そして、ユーザ３が選択画面Ｇ１で広告主２のいずれかを選択すると、ホームページ生成手段１４は、その選択操作に応じて、広告情報データベース１２ａから、選択された広告主２の広告情報Ａに含まれた詳細広告情報を読み出して、専用ホームページＨＰの詳細画面Ｇ２に表示する。このとき、ユーザ登録手段１１に登録されたユーザ属性情報と、読み出した広告情報Ａが対象として指定しているユーザ属性情報とを比較して、詳細画面Ｇ２に表示すべき広告情報Ａを選択するようにしてもよい。また、ここで、ユーザ３が選択画面Ｇ１で別の広告主２を選択し直すと、選択し直された広告主２の広告情報Ａに含まれた詳細広告情報が詳細画面Ｇ２に表示し直される（ステップ１０３、１０４）。
【００４８】
このようにして詳細画面Ｇ２に表示すべき広告情報Ａが決定されると、キーワード抽出手段１３が、その広告情報Ａから所定の基準に従ってキーワードを抽出する。具体的には、例えば、キーワードとなり得る語句を辞書として予め登録しておき、その辞書を参照して、広告情報Ａに含まれた広告タイトル、表示すべきテキスト、予めキーワードを指定した情報等からキーワードを抽出し、キーワードの各々の検出頻度に基づいて、自動検索の対象となるキーワードを選択するようにしてもよい。また、広告情報Ａが禁止キーワードを予め指定した情報を含んでいる場合には、禁止キーワードも同様に抽出する。
【００４９】
広告情報Ａからキーワードが抽出されると、自動検索手段１７が、参照サイトデータベース１６から、キーワード抽出手段１３によって抽出されたキーワードと同一のキーワードが登録されたレコードを検索し、そのレコードから読み出したアドレス情報をアドレスリンクとしてリンク画面Ｇ３に表示させる。なお、広告情報Ａから禁止キーワードが抽出されている場合には、参照サイトデータベース１６から、キーワードが登録され、かつ禁止キーワードが登録されていないレコードを検索する。これは、参照サイト４として、競合企業等のホームページが参照サイト４として表示される等の不都合を防止するためである（ステップ１０５）。
【００５０】
自動検索手段１７による参照サイトデータベース１６の検索は、例えば、キーワードからハッシュ値を生成し、そのハッシュ値に従ってレコードを検索する等、公知のアルゴリズムに従って実行すればよい。この場合には、参照サイトデータベース１６に参照サイトを登録する際、その参照サイトのホームページから抽出したキーワードからハッシュ値を生成し、そのハッシュ値に対応したレコードに、アドレス情報を登録しておけばよい。また、参照サイトデータベース１６を定期的に巡回するロボットプログラムによって、キーワードとアドレス情報とを対応させた対応情報を逐次更新させておき、その対応情報を適宜参照するようにしてもよい。
また、自動検索手段１７は、広告情報データベース１２ａから、抽出されたキーワードを同一のキーワードを含んだ他の広告情報Ａを検索するようにしてもよい。これによって検索された広告情報Ａの広告タイトル等が、その広告情報Ａを表示するためのアドレスリンクとして、参照サイト４のアドレスリンクと共に、リンク画面Ｇ３に表示される。また、広告情報データベース１２ａを参照して、そのユーザ３のユーザ属性情報、興味分野を配布対象として指定している広告情報Ａを選択し、選択した広告情報Ａを表示するためのアドレスリンクをリンク画面Ｇ３に更に表示させてもよい。このようにすれば、ユーザリストＬを提出している広告主２の広告情報Ａだけでなく、ユーザリストＬを提出せず、広告情報Ａの配信のみを希望する広告主２の広告情報Ａも、ターゲットとされたユーザ３に提供することができる。すなわち、ターゲティング広告が実現できる（ステップ１０６、１０７）。
【００５１】
ここでユーザは、リンク画面Ｇ３に表示されたアドレスリンクのいずれかを選択することによって、その参照サイト４のホームページ、あるいは広告情報Ａの詳細情報を閲覧することができる。その際、ホームページは、専用ホームページＨＰの詳細画面Ｇ２に表示されるようにしてもよいし、新たに生成した別の画面に表示されるようにしてもよい（ステップ１０８、１０９）。
【図面の簡単な説明】
【００５２】
【図１】本発明に係るインターネット情報提供サービスシステムの概略構成を説明する機能ブロック図である。
【図２】専用ホームページＨＰの一例である。
【図３】広告情報を作成編集するための広告情報編集画面の例である。
【図４】複数のユーザリストが集約されてユーザ情報データベースに登録される様子を説明する図面である。
【図５】広告情報データベースを構成するレコードの例である。
【図６】参照サイトデータベースを構成するレコードの例である。
【図７】本発明に係るインターネット情報提供サービスシステムの基本処理を説明するフローチャートである。
【符号の説明】
【００５３】
１      インターネット情報提供サービスシステム
１１    ユーザ登録手段
１１ａ  ユーザ情報データベース
１２    広告情報記憶手段
１２ａ  広告情報データベース
１３    キーワード抽出手段
１４    ホームページ生成手段
１５    ウェブサーバ
１６    参照サイトデータベース
１７    自動検索手段
２      広告主
３      ユーザ
４      参照サイト
Ａ      広告情報
ＨＰ    専用ホームページ
Ｈ      広告情報編集画面
Ｇ１    選択画面
Ｇ２    詳細画面
Ｇ３    リンク画面
Ｌ      ユーザリスト
【図１】
2009087106.tif 000003
【図２】
2009087106.tif 000004
【図３】
2009087106.tif 000005
【図４】
2009087106.tif 000006
【図５】
2009087106.tif 000007
【図６】
2009087106.tif 000008
【図７】
2009087106.tif 000009